(57)【特許請求の範囲】
【請求項１】
表面に各種の情報が表示された配布用の長方形のリーフレット紙が、所定の折り方にしたがって折り込まれてなるポケット付きＰＲリーフレットであって、
前記リーフレット紙の裏面は、一方の短辺を含む第１の矩形領域と、他方の短辺を含む第２の矩形領域と、前記第１の矩形領域及び前記第２の矩形領域に挟まれた第３の矩形領域に区画され、
前記第１の矩形領域及び前記第２の矩形領域における前記短辺に直角な辺の長さの和は、前記第３の矩形領域における前記短辺に直角な辺の長さよりも若干大きく設定され、
前記第１の矩形領域及び前記第２の矩形領域の中央部にそれぞれ部分図柄が表示され、
前記第１の矩形領域及び前記第２の矩形領域の部分図柄は、前記リーフレット紙が、前記第１の矩形領域と前記第３の矩形領域との境界線、及び前記第２の矩形領域と前記第３の矩形領域との境界線に沿って折り込まれ、前記第２の矩形領域の短辺部分の上に前記第１の矩形領域の短辺部分が重なるように前記第３の矩形領域のサイズに折り畳まれることによって、互いに組み合わされて一つの図柄を形成し、
前記第３の矩形領域のサイズに折り畳まれた前記リーフレット紙における前記一つの図柄の両側部が、前記一つの図柄の反対面側に配置されるように各矩形領域の境界線に直交する折り線により折り畳まれることによって、前記第１の矩形領域の中央部と当該第１の矩形領域の中央部に対向する前記第３の矩形領域の一部によって囲まれるポケット部を形成することを特徴とするポケット付きＰＲリーフレット。
【請求項２】
前記第３の矩形領域の中央部に所定の図柄が更に表示されており、
前記一つの図柄の両側部が折り込まれた場合に、当該折り込まれた部分によって前記所定の図柄が隠されることを特徴とする請求項１記載のポケット付きＰＲリーフレット。
【請求項３】
前記ポケット部に挿入する粗品を更に備えることを特徴とする請求項１又は２記載のポケット付きＰＲリーフレット。
【発明の詳細な説明】
【技術分野】
【０００１】
本発明は、イベント等において粗品とともに配布するポケット付きＰＲリーフレットに関する。
【背景技術】
【０００２】
イベント会場の受付には、来場者が自由に持ち帰ることができるように、リーフレットが置かれている。この時、リーフレットは、広げられた状態で重ねられている場合が多い。しかし、リーフレットを置いただけでは多くの来場者にリーフレットを配布することは難しい。また、リーフレットが広げられた状態であるため、持ち帰る際に折り畳まなければならず煩わしいという理由で、来場者が持ち帰らない場合もある。
そこで、できるだけ多くのリーフレットが来場者に受け取ってもらえるように、リーフレットに粗品を添えて来場者に配布することも行われている。
【０００３】
また、従来、この種の技術としては、特許文献１に記載された技術がある。特許文献１によれば、カタログやパンフレット、案内状等に対してこれらを見る側に大きな注意を引かせるために、主シート及び副シートの各面には通知情報を表示し、副シートを折り重ねた際、主シートと副シートの重ね合わせ状態において、副シートの表面とこの副シートの下位に位置する主シートの表面とに、互いに関連する通知情報を設けた折り畳みシートについて記載されている。
【先行技術文献】
【特許文献】
【０００４】
【特許文献１】特開平１１−３４８４６０号公報
【発明の概要】
【発明が解決しようとする課題】
【０００５】
しかしながら、イベント会場の受付において、リーフレットの隣に粗品を置いた場合、来場者は、粗品だけを持ち帰り、リーフレットを持ち帰らない場合がある。また、スタッフが来場者に手渡しする場合には、リーフレットと粗品とを同時に持って配布することになるため、作業性が悪い。また、リーフレットを広げた状態で手渡ししようとすると、来場者に敬遠されるおそれがある。
【０００６】
本発明は、このような問題点を解決し、来場者の興味を引くことができるポケット付きＰＲリーフレットを提供することを目的とする。
【課題を解決するための手段】
【０００７】
前記目的を達成するため、本発明は、次に記載する構成を備えている。
【０００８】
（１）  表面に各種の情報が表示された配布用の長方形のリーフレット紙が、所定の折り方にしたがって折り込まれてなるポケット付きＰＲリーフレットであって、前記リーフレット紙の裏面は、一方の短辺を含む第１の矩形領域と、他方の短辺を含む第２の矩形領域と、前記第１の矩形領域及び前記第２の矩形領域に挟まれた第３の矩形領域に区画され、前記第１の矩形領域及び前記第２の矩形領域における前記短辺に直角な辺の長さの和は、前記第３の矩形領域における前記短辺に直角な辺の長さよりも若干大きく設定され、前記第１の矩形領域及び前記第２の矩形領域の中央部にそれぞれ部分図柄が表示され、前記第１の矩形領域及び前記第２の矩形領域の部分図柄は、前記リーフレット紙が、前記第１の矩形領域と前記第３の矩形領域との境界線、及び前記第２の矩形領域と前記第３の矩形領域との境界線に沿って折り込まれ、前記第２の矩形領域の短辺部分の上に前記第１の矩形領域の短辺部分が重なるように前記第３の矩形領域のサイズに折り畳まれることによって、互いに組み合わされて一つの図柄を形成し、前記第３の矩形領域のサイズに折り畳まれた前記リーフレット紙における前記一つの図柄の両側部が、前記一つの図柄の反対面側に配置されるように各矩形領域の境界線に直交する折り線により折り畳まれることによって、前記第１の矩形領域の中央部と当該第１の矩形領域の中央部に対向する前記第３の矩形領域の一部によって囲まれるポケット部を形成することを特徴とするポケット付きＰＲリーフレット。
【０００９】
（１）によれば、部分図柄を組み合わせて一つの図柄を形成するようにリーフレット紙を折り込むことによってポケット部が形成される。このポケット部に例えば粗品を挿入することにより、リーフレット紙と粗品とを同時にイベント来場者に配布することが可能になるため、スタッフの作業負担が軽減される。しかも、リーフレット紙がコンパクトに折り込まれているため、イベント来場者も受け取りやすくなる。また、粗品をポケット部に入れることによって図柄の一部が隠されるが、粗品を取り出すことによって一つの図柄全体が表示されるため、例えば、イベント来場者は、粗品ばかりではなく粗品の背後に何が描かれているのかという興味を抱くようになり、リーフレットを受け取ろうとするイベント来場者の意欲を喚起することが可能になる。
【００１０】
（２）  （１）において、前記第３の矩形領域の中央部に所定の図柄が更に表示されており、前記一つの図柄の両側部が折り込まれた場合に、当該折り込まれた部分によって前記所定の図柄が隠されることを特徴とするポケット付きＰＲリーフレット。
【００１１】
（２）によれば、一つの図柄が形成された面の裏側に隠されている所定の図柄に対して、イベント来場者に興味を抱かせることが可能になり、折り畳まれたリーフレットを開くきっかけをイベント来場者に与えることが可能になる。
【００１２】
（３）  （１）又は（２）において、前記ポケット部に挿入する粗品を更に備えることを特徴とするポケット付きＰＲリーフレット。
【００１３】
（３）によれば、リーフレット紙と粗品とを同時にイベント来場者に配布することが可能になるため、スタッフの作業負担が軽減される。
【発明の効果】
【００１４】
本発明によれば、イベント来場者の興味を引くことができるポケット付きＰＲリーフレットを提供することが可能になる。
【図面の簡単な説明】
【００１５】
【図１】本発明の一実施形態におけるポケット付きＰＲリーフレットの外観を示す斜視図である。
【図２】図１に示すポケット付きＰＲリーフレットから粗品を抜いた状態を示す斜視図である。
【図３】図２（ｂ）に示す仮想線１４ｃ、１４ｄを山折りした構成を示す平面図である。
【図４】図３（ａ）に示す仮想線１４ａ、１４ｂを山折りした構成を示す平面図である。
【図５】図４に示すリーフレット紙１０の裏側を開いた状態を示す説明図である。
【図６】本実施形態の変形例を示す平面図である。
【発明を実施するための形態】
【００１６】
以下、本発明の実施形態について、図面を参照しながら詳細に説明する。
図１は、本発明の一実施形態におけるポケット付きＰＲリーフレットの外観を示す斜視図であり、図２は、図１に示すポケット付きＰＲリーフレットから粗品を抜いた状態を示す斜視図である。
【００１７】
ポケット付きＰＲリーフレット１は、リーフレット紙１０と、粗品３０とを備えている。リーフレット紙１０は、例えば、イベントのＰＲのために来場者に配布するものであり、一枚の定型サイズ（例えば、Ａ３サイズ）の長方形の紙の表面に各種の情報が印刷されたものである。また、リーフレット紙１０の裏面には、詳細については後述するが、組み合わせによって草花の図柄１２を形成する部分図柄１２ａ及び部分図柄１２ａが印刷表示されている。
【００１８】
また、リーフレット紙１０は、所定の折り方にしたがって折り紙のように折り込むことによってコンパクトに折り畳まれるとともに、ポケット部２０が形成される。
粗品３０は、リーフレット紙１０とともに、イベント来場者に配布するものである。粗品３０としては、ポケット部２０に挿入可能なものであれば適用可能であるが、例えば、シート状のレンズクリーナー、栞やカードといった薄型のものが望ましい。
【００１９】
そして、リーフレット紙１０のポケット部２０に粗品３０を挿入することにより、ポケット付きＰＲリーフレット１が完成する。
【００２０】
図２は、リーフレット紙１０を示す平面図であり、図２（ａ）は、リーフレット紙１０の表面、図２（ｂ）は、リーフレット紙１０の裏面をそれぞれ示している。リーフレット紙１０の表面には、イベント来場者にＰＲしたい各種の情報が印刷されている。例えば、図２（ａ）に示すように、リーフレット紙１０の表面の左上方に「ＥＧＴニュース」という表題が印刷されている。また、リーフレット紙１０の表面は、複数に区画されており、その区画毎に各種の情報が印刷されている。
【００２１】
リーフレット紙１０の裏面には、組み合わせによって一つの図柄１２（図１（ａ）参照）が形成される２つの部分図柄１２ａ及び部分図柄１２ｂと、発行元情報１２ｃと、指標図柄１２ｄが印刷されている。
【００２２】
ここで、リーフレット紙１０の裏面は、リーフレット紙１０の短辺に対して平行な２本の仮想線１４ａ、１４ｂによって、３つの矩形領域に区画されている。すなわち、リーフレット紙１０の一方の短辺と仮想線１４ａとを長辺とする第１の矩形領域１０ａと、他方の短辺と仮想線１４ｂとを長辺とする第２の矩形領域１０ｂと、第１の矩形領域１０ａ及び第２の矩形領域１０ｂに挟まれ、仮想線１４ａと仮想線１４ｂとを長辺とする第３の矩形領域１０ｃとに区画されている。このように、２本の仮想線１４ａ、１４ｂが、第１の矩形領域と第３の矩形領域との境界線及び第２の矩形領域と第３の矩形領域との境界線に相当する。
【００２３】
第１の矩形領域１０ａにおけるリーフレット紙１０の短辺に対して直角の辺は、第２の矩形領域１０ｂにおけるリーフレット紙１０の短辺に対して直角の辺よりも短く設定されている。すなわち、第１の矩形領域１０ａ、第２の矩形領域１０ｂ、第３の矩形領域１０ｃの順で大きくなる。また、第１の矩形領域１０ａにおける短辺に対して直角の辺と第２の矩形領域１０ｂにおける短辺に対して直角の辺との和は、第３の矩形領域１０ｃにおけるリーフレット紙１０の短辺に対して直角の辺よりも若干長く設定されている。なお、第１〜第３の矩形領域１０ａ〜１０ｃにおけるリーフレット紙１０の短辺に対して直角の辺の和は、リーフレット紙１０の長辺に等しいことは言うまでもない。
【００２４】
第１の矩形領域の中央部には部分図柄１２ｂが印刷されており、第２の矩形領域の中央部には部分図柄１２ａ及び指標図柄１２ｄが印刷されており、第３の矩形領域の中央部には発行元情報１２ｃが印刷されている。
【００２５】
また、リーフレット紙１０の長辺方向に対して平行な２本の仮想線１４ｃ、１４ｄによって、リーフレット紙１０をおおよそ三等分してなる３つの矩形領域に区画した場合、中央の矩形領域に、部分図柄１２ｂと、発行元情報１２ｃと、指標図柄１２ｄと、部分図柄１２ａとが印刷されている。
【００２６】
図２（ｂ）において、部分図柄１２ａには、第２の矩形領域１０ｂの中央部に印刷された花の図柄が相当する。部分図柄１２ｂには、第１の矩形領域１０ａの中央部に印刷された茎と葉の図柄が相当する。発行元情報１２ｃには、第３の矩形領域１０ｃの中央部に印刷されている「発行：ＥＧＴフェスティバル実行委員会」という文字情報が相当する。指標図柄１２ｄには、第２の矩形領域１０ｂの中央部でかつ部分図柄１２ａと発行元情報１２ｃとの間に印刷されている「ＥＧＴニュース」という文字情報が相当する。
【００２７】
次に、リーフレット紙１０の折り方について説明する。最初に、まず、指標図柄１２ｄにおける発行元情報１２ｃ側近傍を短辺に平行に山折りする。すなわち、図２（ｂ）に示す仮想線１４ｂを山折りする。次に、部分図柄１２ｂにおける発行元情報１２ｃ側近傍を短辺に平行に山折りする。すなわち、図２（ｂ）に示す仮想線１４ａを山折りする。このように、リーフレット紙１０を折り畳むことによって、リーフレット紙１０は第３の矩形領域１０ｃのサイズになるとともに、リーフレット紙１０の表面が隠される。
【００２８】
図３は、図２（ｂ）に示す仮想線１４ａ、１４ｂを山折りした後の状態を示す平面図であり、図３（ａ）は、部分図柄１２ａと部分図柄１２ｂとが印刷されている側を示し、図３（ｂ）は、図３（ａ）の反対側を示す。
【００２９】
図２（ｂ）に示す仮想線１４ａ、１４ｂを山折りすることにより、図３（ａ）に示すように、部分図柄１２ｂ側の短辺部分が、部分図柄１２ａ側の短辺部分の上に重なるとともに、部分図柄１２ａと部分図柄１２ｂとが一体化して、一つの草花の図柄１２が形成される。
【００３０】
なお、実際に部分図柄１２ａや部分図柄１２ｂを印刷する際には、リーフレット紙１０の裏面の周辺部分に数ミリ程度の余白が形成される。これにより、リーフレット紙１０を折り畳んだ際に、この余白だけ部分図柄１２ａと部分図柄１２ｂとが離れている。このため、部分図柄１２ａ及び部分図柄１２ｂは、互いに連続性があると見なせるデザインであることが望ましい。本実施形態によれば、部分図柄１２ａに含まれる茎の図柄と部分図柄１２ｂに含まれる茎の図柄とが同一直線上にあるため、一つの草花の図柄１２として視認することが可能になる。
【００３１】
次に、図３において、第３の矩形領域１０ｃのサイズのリーフレット紙１０における草花の図柄１２の長手方向の両側部を、草花の図柄１２の反対面側に配置されるように折り込む。具体的には、仮想線１４ｃを山折りし、更に仮想線１４ｄを山折りにする。この時、指標図柄１２ｄ、すなわち「ＥＧＴニュース」という文字情報の両端部付近を仮想線１４ｃ、１４ｄが通っているので、指標図柄１２ｄを指標として山折りにするとよい。
【００３２】
図４は、図３（ａ）に示す仮想線１４ｃ、１４ｄを山折りした構成を示す平面図であり、図４（ａ）は、部分図柄１２ａと部分図柄１２ｂとが印刷されている側を示し、図４（ｂ）は、図４（ｂ）の反対側を示す。上述したように折り畳むことにより、第１の矩形領域１０ａの中央部及び第１の矩形領域１０ａの中央部に対向する第３の矩形領域１０ｃの一部によって囲まれるポケット部２０が形成される。更に、リーフレット紙１０は、図４に示すように封筒サイズにコンパクト化される。
【００３３】
また、部分図柄１２ａと部分図柄１２ｂとが印刷されている側の反対側においては、図２（ｂ）に示す仮想線１４ａ及び仮想線１４ｂを山折りして折り畳んだ部分が重なり合っている。この重なり合った部分を、図５に示すように開くことにより、発行元情報１２ｃすなわち「発行：ＥＧＴフェスティバル実行委員会」という文字情報が視認可能になる。
【００３４】
そして、図４に示すように折り畳まれたリーフレット紙１０のポケット部２０に粗品３０を挿入することにより、図１に示すポケット付きＰＲリーフレット１が出来上がる。なお、リーフレット紙１０のポケット部２０に、粗品３０とともに名刺を入れて来場客に手渡してもよい。
【００３５】
以上、説明したように構成された本実施形態によれば、部分図柄１２ａ、１２ｂを組み合わせて一つの図柄１２を形成するようにリーフレット紙１０を折ることによってポケット部２０が形成される。このポケット部２０に粗品３０を挿入することにより、リーフレット紙１０と粗品３０とを同時にイベント来場者に配布することが可能になるため、スタッフの負荷が軽減される。しかも、リーフレット紙１０がコンパクトに折り込まれているため、イベント来場者も受け取りやすくなる。また、粗品３０をポケット部２０に入れることによって図柄１２の一部が隠されるが、粗品３０を取り出すことによって一つの図柄１２全体が表示されるため、例えば、イベント来場者は、粗品３０ばかりではなく粗品３０の背後に何が描かれているのかという興味を抱くようになり、ポケット付きＰＲリーフレット１を受け取ろうとするイベント来場者の意欲を喚起することが可能になる。
【００３６】
また、本実施形態によれば、一つの図柄１２が形成された面の裏側に隠されている図柄（発行元情報１２ｃ）に対して、イベント来場者に興味を抱かせることが可能になり、折り畳まれたリーフレットを開こうとするイベント来場者の意欲を喚起することが可能になる。
【００３７】
また、本実施形態によれば、リーフレット紙１０が、粗品３０を入れるための封筒としての機能を果たすため、粗品３０を入れるための封筒を特別に用意する必要がなくなり、その分、コストの低減を図ることができる。
【００３８】
以上、本発明の実施形態について説明したが、本発明の実施形態は上述したものに限るものではない。例えば、部分図柄１２ａ及び部分図柄１２ｂの一部が、仮想線１４ａ及び仮想線１４ｂの近傍、及び仮想線１４ｃ及び仮想線１４ｄの近傍に位置するように、部分図柄１２ａ及び部分図柄１２ｂをデザインすることによって、部分図柄１２ａ及び部分図柄１２ｂにリーフレット紙１０を折り込む際の指標としての機能を持たせてもよい。
【００３９】
なお、上述した実施形態においては、イベント配布用のリーフレットを例として説明したが、それ以外のリーフレットであってもよい。また、仮想線１４ａ及び仮想線１４ｂの位置は、粗品３０の種類に応じて調整してもよい。例えば、粗品３０が鉛筆の場合には、ポケット部２０が深い方が望ましい。そこで、仮想線１４ｂの位置を指標図柄１２ｄにできるだけ近い位置に設定して仮想線１４ｂを折り込み、更に、第２の矩形領域１０ｂの端部に、第１の矩形領域１０ａの端部を重ねるように折り込むことにより、第３の矩形領域１０ｃのサイズを変えることなく、ポケット部２０の深さを変えることが可能になる。
【００４０】
また、上述した実施形態においては、指標図柄１２ｄが文字情報によって形成されているが、それに限るものではなく、例えば、図６に示すように背景図柄であってもよい。図６に示すリーフレット紙１０の裏面は、図２（ｂ）に示すリーフレット紙１０の裏面に対して、背景図柄を兼ねる指標図柄１２ｅを更に形成したものである。指標図柄１２ｅは、複数の点図柄が等間隔に整列している水玉模様からなる。
【００４１】
指標図柄１２ｅを付加したことにより、例えば、指標図柄１２ｄから数個目の点図柄を折り込むというように折り込み位置を設定することが可能になり、リーフレット紙１０を正確に折り込むことが可能になる。これにより、折り畳んだ後のリーフレット紙１０のサイズやポケット部２０の深さを容易に設定可能となり、例えば、複数の作業員でリーフレット紙１０を折り込む作業を行っても、略同一のポケット付きＰＲリーフレット１を作成することが可能になる。
【符号の説明】
【００４２】
１  ポケット付きＰＲリーフレット
１０  リーフレット紙
１０ａ  上領域
１０ｂ  中央領域
１０ｃ  下領域
１２  図柄
１２ａ、１２ｂ  部分図柄
１２ｃ  発行元情報
１２ｄ、１２ｅ  指標図柄
１４ａ、１４ｂ、１４ｃ、１４ｄ  仮想線
２０  ポケット部
３０  粗品
【要約】
【課題】イベント来場者の興味を引くことができるポケット付きＰＲリーフレットを提供する。
【解決手段】表面に各種の情報が表示された配布用の長方形のリーフレット紙１０を所定の折り方にしたがって折り込んでなるポケット付きＰＲリーフレットであって、リーフレット紙１０の裏面における２つの短辺側それぞれの中央部に、組み合わせによって一つの図柄１２を形成するための部分図柄１２ａ、１２ｂが表示されており、リーフレット紙１０における短辺を含む一部の領域が重なり合い、かつ複数の部分図柄１２ａ、１２ｂの組み合わせによって一つの図柄１２が形成されるように、リーフレット紙１０における短辺を含む両端部を短辺に対して平行に折り込み、更に、一つの図柄１２の短辺方向の両側部を短辺方向に対して直角でかつ一つの図柄１２が形成された面の裏側に折り込むことによって、一つの図柄１２付近に粗品３０を挿入するポケット部２０を形成する。
【選択図】図１【図１】
0005563110.tif 000002
【図２】
0005563110.tif 000003
【図３】
0005563110.tif 000004
【図４】
0005563110.tif 000005
【図５】
0005563110.tif 000006
【図６】
0005563110.tif 000007